(57)【要約】【課題】農園にあって、栽培容器に植えた作物の設置場所を正確に管理可能な作物生育管理システムを提供する。【解決手段】栽培容器に植えられた作物の固有情報を記録した作物識別タグ６を栽培容器に取り付けるとともに、栽培容器を設置する栽培区画の固有情報を記録した区画識別タグ５を栽培区画に取り付ける。そして、栽培容器に植えた作物を栽培区画に設置する際に、栽培容器の作物識別タグ６と当該栽培区画の区画識別タグ５の記録情報を携帯端末１２で読み取って、読み取った記録情報に含まれる作物と栽培区画の固有情報に基いて、各作物の設置される栽培区画を記憶するデータベースを更新するようにする。【選択図】図５
2014018189.tif 000002
【特許請求の範囲】
【請求項１】
農園にあって、栽培容器に植えられた作物がどの栽培区画に設置されているかを管理する作物生育管理システムであって、
栽培容器ごとに取り付けられ、該栽培容器に植えられた作物の固有情報を記録した作物識別タグと、
栽培区画ごとに取り付けられ、当該栽培区画の固有情報を記録した区画識別タグと、
各作物がどの栽培区画に設置されているかを記憶する作物データベースを具備する管理装置と、
作物識別タグ及び区画識別タグに記録された情報を読取可能であり、かつ、前記管理装置と通信可能な携帯端末と
を備え、
栽培容器に植えられた作物を栽培区画に設置する際に、前記携帯端末が当該栽培容器の作物識別タグから読み取った作物の固有情報と、該携帯端末が当該栽培区画の区画識別タグから読み取った栽培区画の固有情報とに基いて、作物データベースに含まれる当該作物が設置される栽培区画の情報を更新する処理を行うことを特徴とする作物生育管理システム。
【請求項２】
前記管理装置は、作物の生育環境の測定履歴を記憶する環境データベースと、作物の栽培作業の進捗履歴を記憶する実績データベースとを備えることを特徴とする請求項１に記載の作物生育管理システム。
【請求項３】
作物識別タグは、データを読み書き可能なＲＦＩＤタグであって、栽培容器に植えられた作物の固有情報に加えて、当該作物の栽培作業の進捗状況も記憶するものであり、
前記携帯端末は、作物の栽培作業の進捗状況を、作物識別タグに書き込む処理と、前記管理装置を介して実績データベースに書き込む処理とを備えていることを特徴とする請求項２に記載の作物生育管理システム。
【請求項４】
農園にあって、栽培容器に植えられた作物がどの栽培区画に設置されているかを管理する作物の生育管理方法であって、
栽培容器に植えられた作物を栽培区画に設置する際に、
当該栽培容器に取り付けられた作物識別タグに記録された作物の固有情報を携帯端末で読み取るステップと、
当該栽培区画に取り付けられた区画識別タグに記録された栽培区画の固有情報を前記携帯端末で読み取るステップと、
該携帯端末が読み取った作物と栽培区画の固有情報に基いて、各作物が設置される栽培区画の情報を記憶するデータベースを更新するステップと
を実行することを特徴とする作物の生育管理方法。
【発明の詳細な説明】
【技術分野】
【０００１】
本発明は、農園で栽培する作物の生育管理を行う作物生育管理システムに関する。
【背景技術】
【０００２】
従来、農園にあって、栽培容器に植えられた作物がどの栽培区画に設置されているかを管理する作物生育管理システムが知られている。例えば、特許文献１では、栽培容器に非接触型ＩＤタグを設け、当該ＩＤタグを作業時に携帯端末で読み取ることにより、各作物の設置場所を一元的に管理するシステムが提案されている。
【先行技術文献】
【特許文献】
【０００３】
【特許文献１】特許第３３３８６７４号
【発明の概要】
【発明が解決しようとする課題】
【０００４】
ところで、上記特許文献１に記載のシステムでは、栽培容器に植えた作物を、所要の栽培区画に設置したり、別の栽培区画に移動させたりする際に、作物を設置した栽培区画の情報を手入力しているため、栽培区画の誤入力によって、実際に作物が設置された栽培区画と、システムで管理する栽培区画との間に食い違いが生じる事があり、作物を不適切な環境下においてしまったり、作物の収穫や出荷時に混乱をきたすおそれがある。
【０００５】
本発明は、かかる現状に鑑みてなされたものであり、従来構成に比べて、栽培容器に植えた作物の設置場所を正確に管理可能な作物生育管理システム及び作物の生育管理方法の提供を目的とする。
【課題を解決するための手段】
【０００６】
本発明は、農園にあって、栽培容器に植えられた作物がどの栽培区画に設置されているかを管理する作物生育管理システムであって、栽培容器ごとに取り付けられ、該栽培容器に植えられた作物の固有情報を記録した作物識別タグと、栽培区画ごとに取り付けられ、当該栽培区画の固有情報を記録した区画識別タグと、各作物がどの栽培区画に設置されているかを記憶する作物データベースを具備する管理装置と、作物識別タグ及び区画識別タグに記録された情報を読取可能であり、かつ、前記管理装置と通信可能な携帯端末とを備え、栽培容器に植えられた作物を栽培区画に設置する際に、前記携帯端末が当該栽培容器の作物識別タグから読み取った作物の固有情報と、該携帯端末が当該栽培区画の区画識別タグから読み取った栽培区画の固有情報とに基いて、作物データベースに含まれる当該作物が設置される栽培区画の情報を更新する処理を行うことを特徴とする作物生育管理システムである。ここで、本発明に係る「農園」は、作物を栽培容器で栽培するものであれば、その他の形態は限定されない。例えば、作物を露地栽培するものでもよいし、閉鎖環境で生育条件をコントロールして栽培するものであってもよい。
【０００７】
かかる構成にあっては、作物データベースに含まれるの作物の位置情報を更新する際に、携帯端末が作物識別タグと区画識別タグから読み取った、作物と栽培区画の固有情報を用いることができるから、作物を栽培区画に設置したり、移し替えたりする際に、作物データベースに誤った情報を登録するおそれがなくなり、作物の設置場所を正確に管理することが可能となる。
【０００８】
また、本発明にあって、前記管理装置は、作物の生育環境の測定履歴を記憶する環境データベースと、作物の栽培作業の進捗履歴を記憶する実績データベースとを備えることが提案される。
【０００９】
かかる構成にあっては、実績データベースに記憶される作物の栽培作業の進捗履歴と、環境データベースに記憶される生育環境（温度、湿度、日照時間、降水量、ＣＯ２濃度、ｐＨなど）の測定履歴とを比較することによって、作物がどのような過程で生育したのか把握できるようになり、生育環境の違いによる成長率（収率）の傾向把握が可能となる。この傾向把握により、収穫可能日と予想収穫量の算定及び次作業着手日の算定、生育環境の適性基準値（生育期間や生育環境）算出などに利用でき、次の効率的な一手を予測できる。例えば、作物が枯れてしまった時に、作物生育の進捗履歴と生育環境の測定履歴から原因を探ることができる。
【００１０】
また、本発明にあって、作物識別タグは、データを読み書き可能なＲＦＩＤタグであって、栽培容器に植えられた作物の固有情報に加えて、当該作物の栽培作業の進捗状況も記憶するものであり、前記携帯端末は、作物の栽培作業の進捗状況を、作物識別タグに書き込む処理と、前記管理装置を介して実績データベースに書き込む処理とを備えていることが提案される。
【００１１】
かかる構成にあっては、各作物の栽培作業の進捗状況を実績データベースと、作物識別タグとに記憶させることができるため、携帯端末を管理装置と通信できない状態でも、作物識別タグを読み取ることによって、当該作物の栽培作業の進捗状況を確認することが可能となる。
【００１２】
また、本発明の別の態様は、農園にあって、栽培容器に植えられた作物がどの栽培区画に設置されているかを管理する作物の生育管理方法であって、栽培容器に植えられた作物を栽培区画に設置する際に、当該栽培容器に取り付けられた作物識別タグに記録された作物の固有情報を携帯端末で読み取るステップと、当該栽培区画に取り付けられた区画識別タグに記録された栽培区画の固有情報を前記携帯端末で読み取るステップと、該携帯端末が読み取った作物と栽培区画の固有情報に基いて、各作物が設置される栽培区画の情報を記憶するデータベースを更新するステップとを実行することを特徴とする作物の生育管理方法である。
【００１３】
かかる方法によれば、各作物が設置される栽培区画を記憶するデータベースを更新する際に、作物と栽培区画の固有情報を手入力せずに更新作業を行うことができるため、作物の設置場所を正確に管理することが可能となる。
【発明の効果】
【００１４】
以上に述べたように、本発明によれば、従来構成に比べて、農園において作物の設置場所を正確に管理可能となるから、実際に作物が設置された栽培区画と、管理情報の栽培区画との食い違いによって、作物を不適切な環境下においてしまったり、作業対象の作物を取り違えたりすることがなくなる。
【図面の簡単な説明】
【００１５】
【図１】農園の栽培室１の概略図である。
【図２】栽培棚２の概略図である。
【図３】栽培容器３ａ〜３ｃの概略図である。
【図４】作物の栽培作業の作業工程を示すフローチャートである。
【図５】作物管理管理システムの構成図である。
【図６】棚データベースのデータ構造を示す説明図である。
【図７】作物データベースのデータ構造を示す説明図である。
【図８】実績データベースのデータ構造を示す説明図である。
【図９】環境データベースのデータ構造を示す説明図である。
【図１０】（ａ）区画識別タグ５のデータレイアウトと、（ｂ）作物識別タグ６のデータレイアウトを示す説明図である。
【図１１】播種時処理の処理内容を示すフローチャートである。
【図１２】経過観察処理の処理内容を示すフローチャートである。
【図１３】定植処理の処理内容を示すフローチャートである。
【図１４】出荷許可処理の処理内容を示すフローチャートである。
【図１５】収穫処理の処理内容を示すフローチャートである。
【図１６】容器設置処理の処理内容を示すフローチャートである。
【図１７】容器移動処理の処理内容を示すフローチャートである。
【図１８】環境登録処理の処理内容を示すフローチャートである。
【発明を実施するための形態】
【００１６】
本発明の実施形態を、以下の実施例に従って説明する。
【００１７】
まず、実施例の作物生育管理システムを適用する農園について説明する。実施例の農園は、屋内に設けられた植物工場であり、図１に示すように、作物を生育する栽培室１を備えている。栽培室１には、複数の栽培棚２が配設されており、該栽培棚２に作物を植えた栽培容器３ａ〜３ｃが設置される。また、図示は省略するが、栽培室１には、温度、湿度などの生育条件を制御する空調装置や、自動給水装置、照明装置が配設される。また、各栽培棚２には、温度、湿度、水温、水質をラックごとに計測するための測定装置（図示省略）が設けられる。
【００１８】
栽培棚２は、図２に示すように、三段四列に区画されており、各区画４に栽培容器３ａ〜３ｃを二つまで設置可能となっている。かかる農園では、この栽培棚２の各区画４が栽培容器３ａ〜３ｃを設置する単位区画として管理される。すなわち、栽培棚２の各区画４は、本発明の栽培区画に相当するものである。
【００１９】
図３は、栽培容器３ａ〜３ｃの概略図である。図３に示すように、農園では、作物の生育段階に合わせて三種類の栽培容器３ａ〜３ｃが用いられる。具体的には、作物は、第一の栽培容器３ａに播種されて、収穫までに第二の栽培容器３ｂ、第三の栽培容器３ｃへと植え替えられる。ここで、図３に示すように、通常、定植時には、植替え元の栽培容器３ａ，３ｂの作物が、複数の栽培容器３ｂ，３ｃに分割される。また、各栽培容器３ａ〜３ｃには、後述する作物識別タグ６が一つずつ取り付けられる。
【００２０】
図４は、農園での作物生育の作業工程を示すフローチャートである。時系列で説明すると、まず、播種作業では、第一の栽培容器３ａに所要品種の播種を行う。播種した第一の栽培容器３ａは栽培棚２の一区画４に設置され、管理された条件下で生育される。経過観察作業では、定期的に作物の生育状況を確認する。そして、作物が所定サイズに生育すると第一回定植作業を実行する。第一回定植作業では、作物を第一の栽培容器３ａから第二の栽培容器３ｂに植え替える。第二の栽培容器３ｂに植え替えられた作物は、栽培棚２に戻し、定期的に経過観察しながら生育させる。その後、第二の栽培容器３ｂの作物の生育が進行して所定サイズに達すると、第二回定植作業を実行する。第二回定植作業では、作物を第三の栽培容器３ｃに植え替えて、栽培棚２に戻す作業を行う。第三の栽培容器３ｃに植え替えた作物は、定期的に経過観察しながら生育させ、当該作物が、所定レベルにまで生育したと認められると、当該作物を「出荷許可」の状態とする。出荷許可の状態にした作物は、所要のタイミングで収穫作業を行い出荷する。また、農園では、図４に示す作業工程の他に、栽培棚２の空き状況に応じて、栽培容器３ａ〜３ｃの移替え作業を行う。
【００２１】
図５は、本実施例の作物生育管理システムの構成図である。この作物生育管理システムは、上記農園に設置されて、作物の播種から収穫までの作業工程を管理するものである。具体的には、作物生育管理システムは、管理用コンピュータ１０と、外部記憶装置１１と、作業者が携帯する携帯端末１２と、農園内に敷設される有線ＬＡＮ１３と、携帯端末１２を有線ＬＡＮ１３に接続するための無線ＬＡＮアクセスポイント１４と、有線ＬＡＮ１３に接続されるプリンタ１５と、栽培棚２の各区画４に貼付される前記区画識別タグ５と、栽培容器３ａ〜３ｃに取り付けられる前記作物識別タグ６とを備えてなる。
【００２２】
管理用コンピュータ１０は、汎用のパソコンによって構成されるものであり、有線ＬＡＮ１３に接続され、インストールされたプログラムにしたがって、作物の生育状態を統括的に管理する。
【００２３】
外部記憶装置１１は、有線ＬＡＮ１３に接続されたハードディスクである。外部記憶装置１１は、栽培棚２の使用状況を記憶する棚データベースと、作物の状況を記憶する作物データベースと、作物の栽培作業の進捗履歴を記憶する実績データベースと、作物の生育環境の測定履歴を記憶する環境データベースとを記憶しており、各データベースの情報を、管理用コンピュータ１０によって参照・更新し得るよう構成されている。すなわち、本発明に係る管理装置は、管理用コンピュータ１０と外部記憶装置１１とによって構成される。
【００２４】
具体的には、棚データベースは、図６に示すように、栽培棚２の各区画４の固有情報（棚番＋棚段＋棚列）と、対応する区画４の状況（使用中、使用不可など）を記憶している。また、作物データベースは、図７に示すように、栽培容器３ａ〜３ｃに植えた作物の固有情報（品番＋ロット番号）や、当該作物の生育状況や、当該作物の栽培容器３ａ〜３ｃの設置された区画４などの情報を記憶する。そして、実績データベースは、図８に示すように、各作物を生育する過程で行った作業履歴を処理日時とともに蓄積記憶するものである。この実績データベースに記憶されるデータを時系列に並べて参照することで、工程管理を簡単に行うことが可能となる。対象作物の固有情報や、作業の進捗区分、処理日時などを記憶する。また、環境データベースは、図９に示すように、温度や湿度等の生育環境の測定結果を測定日時とともに蓄積記憶するものである。なお、環境データベースには、栽培棚２ごとの測定結果が記憶される。
【００２５】
携帯端末１２は、既存のハンディターミナルによって構成されるものであり、ＲＦＩＤタグに記憶されるデータを読み書きする読取書込装置と、無線ＬＡＮアクセスポイント１４を介して管理用コンピュータ１０と通信するための通信装置とを備えている。後述するように、この携帯端末１２は、図４に示した各作業工程において、区画識別タグ５や作物識別タグ６が記憶するデータを参照・更新し、また、管理用コンピュータ１０を介して上述の各データベースの情報を参照・更新するのに用いられる。
【００２６】
区画識別タグ５は、シート状基材にＲＦＩＤインレットを埋設してなる非接触式のＲＦＩＤタグ（パッシブタグ）であり、図２に示すように、栽培棚２の各区画４に一枚ずつ貼付される。区画識別タグ５の表面には、栽培棚２の各区画４の位置を示す固有情報が記憶される。例えば、栽培棚２の左上の区画の区画識別タグ５には「Ａ−１−１」という固有情報が印刷されるが、これは、当該区画４が、棚番号「Ａ」の栽培棚２の上から「１」段目、左から「１」列目にあることを示している。また、図１０（ａ）に示すように、区画識別タグ５のＲＦＩＤインレットのＩＣチップには、栽培棚２の区画４の固有情報を記憶する領域が設けられており、当該固有情報を携帯端末１２によって読み取り得るように構成されている。
【００２７】
作物識別タグ６は、棒状基材にＲＦＩＤインレットを埋設してなる非接触式のＲＦＩＤタグ（パッシブタグ）であり、図３に示すように、栽培容器３ａ〜３ｃごとに一本ずつ取り付けられる。図１０(ｂ)に示すように、作物識別タグ６のＲＦＩＤインレットのＩＣチップには、栽培容器３ａ〜３ｃで生育される作物の固有情報や、当該作物の数量や進捗状況などの情報を記憶する領域が設けられており、これらの情報を携帯端末１２によって読み書きし得るよう構成されている。なお、区画識別タグ５や作物識別タグ６に埋設されるＲＦＩＤタグは、汎用品を好適に用い得るため、それらの構造に関する説明は省略する。
【００２８】
本実施例の作物生育管理システムでは、作物に対して作業を行う度に、携帯端末１２を用いて作業者にデータベースの情報を更新させることにより、栽培作業の進捗状況や、作物の設置場所を統括的に管理するものである。以下、図４に示した各作業工程に対する作物生育管理システムの運用方法を説明する。
【００２９】
まず、播種作業では、第一の栽培容器３ａに播種を行った後に、作業者は、当該栽培容器３ａに新しい作物識別タグ６を取り付け、携帯端末１２に播種処理を実行させる。図１１に示すように、播種処理では、まず、播種した作物の「品番」と「数量」を携帯端末１２に入力し(ステップＳ１１)、次に、管理用コンピュータ１０と通信して、新規の「ロット番号」を取得する(ステップＳ１２)。ここで得られた品番とロット番号の組み合わせが、播種した作物の固有情報となる。そして、これらの情報を作物識別タグ６に書き込むとともに（ステップＳ１３）、管理用コンピュータ１０を介して作物データベースと実績データベースを更新する（ステップＳ１４）。そして、作業者が、当該栽培容器３ａを栽培棚２に設置するのに合わせて、後述の容器設置処理（ステップＳ１５）を実行すると、播種処理が終了する。
【００３０】
経過観察作業では、作業者は携帯端末１２に経過観察処理を実行させる。図１２に示すように、経過観察処理では、まず、経過観察する栽培容器３ａ〜３ｃに取り付けられた作物識別タグ６の読取りを行い、観察対象の作物を特定し（ステップＳ２１）、管理用コンピュータ１０を介して当該作物に関する情報を作物データベースから取得する（ステップＳ２２）。そして、当該作物を目視確認した上で、当該作物の生育状態を選択する。生育状態の選択肢は携帯端末１２の表示画面に表示される（ステップＳ２３）。ここで、栽培容器３ａ〜３ｃの作物の数量を変更すべき場合は、その理由とともに変更後の数量を入力する（ステップＳ２４）。そして、これらの経過観察の結果情報について作物識別タグ６のデータを更新し（ステップＳ２５）、さらに管理用コンピュータ１０を介して作物データベースと実績データベースを更新すると（ステップＳ２６）、経過観察処理が終了する。
【００３１】
第一回定植作業及び第二回定植作業では、作物の植替えを終了すると、作業者は、携帯端末１２に定植処理を実行させる。図１３に示すように、定植処理では、まず、植替え元の栽培容器３ａ，３ｂの作物識別タグ６の記憶データを読取り（ステップＳ３１）、管理用コンピュータ１０を介して作物データベースに記憶された関連情報を取得する（ステップＳ３２）。続いて、植替え先の栽培容器３ｂ，３ｃの作物識別タグ６の記憶データを読取り（ステップＳ３３）、当該栽培容器３ａ，３ｂに植え替えた作物の数量を入力し（ステップＳ３４）、当該作物識別タグ６に植替え元の作物の固有情報や、植え替えた数量等を書き込むとともに（ステップＳ３５）、作物データベースと実績データベースを更新する（ステップＳ３６）。ここで、植替え先の栽培容器３ｂ，３ｃが複数ある場合には、未処理の栽培容器３ｂ，３ｃの有無を確認し（ステップＳ３７）、未処理の栽培容器３ｂ，３ｃが無くなるまでステップＳ３３〜Ｓ３６を繰り返す。植替え先の栽培容器３ｂ，３ｃを全て処理した後は、植替え元栽培容器３ａ，３ｂの作物識別タグ６に書込みを行うとともに、作物データベースと実績データベースを更新する。そして、作業者が、当該栽培容器３ａ〜３ｃを栽培棚２に設置するのに合わせて、後述の容器設置処理（ステップＳ１５）を実行すると、定植処理が終了する。
【００３２】
栽培した作物を「出荷許可」の状態にする場合は、作業者は、携帯端末１２を用いて出荷許可処理を実行する。図１４に示すように、出荷許可処理では、まず、対象の栽培容器３ｃの作物識別タグ６の読取りを行い（ステップＳ４１）、棚データベースと作物データベースから関連情報を取得する（ステップＳ４２）。そして、当該作物識別タグ６に出荷許可に関する情報を書き込むとともに（ステップＳ４３）、作物データベースをと実績データベース更新する（ステップＳ４４）。
【００３３】
作物の収穫作業では、作業者は、作物収穫後に、携帯端末１２に収穫処理を実行させる。図１５に示すように、収穫処理では、まず、収穫する栽培容器３ｃの作物識別タグ６を読み取り（ステップＳ５１）、収穫した数量を入力する（ステップＳ５２）。そして、作物識別タグ６の記憶情報を更新するとともに（ステップＳ５３）、作物データベースと実績データベースを更新する（ステップＳ５４）。ここで、栽培容器３ｃの作物を全量収穫したかを確認し（ステップＳ５５）、全量収穫した場合は、そのまま収穫処理を終了し、未収穫の作物がある場合は、作業者が、当該栽培容器３ｃを栽培棚２に設置するのに合わせて、後述の容器設置処理（ステップＳ１５）を実行し、収穫処理を終了する。
【００３４】
上述の容器設置処理では、図１６に示すように、まず、栽培棚２に設置する栽培容器３ａ〜３ｃの作物識別タグ６の読取りを行う（ステップＳ６１）。続いて、栽培容器３ａ〜３ｃを設置する区画４に貼付された区画識別タグ５の読取りを行い（ステップＳ６２）、棚データベースから当該区画４に関する情報を取得する（ステップＳ６３）。そして、当該区画４の状況区分を確認し（ステップＳ６４）、「使用中」である場合には、混載である旨を報知するメッセージを表示する。そして、管理用コンピュータ１０を介して作物データベース、実績データベース及び棚データベースを更新すると（ステップＳ６５）、容器設置処理が終了する。
【００３５】
また、栽培容器３ａ〜３ｃの設置場所を移動させた場合には、作業者は、携帯端末１２を用いて容器移動処理を実行する。上述の容器移動処理では、図１７に示すように、まず、栽培棚２に設置する栽培容器３ａ〜３ｃの作物識別タグ６の読取りを行う（ステップＳ７１）。続いて、栽培容器３ａ〜３ｃを設置する区画４に貼付された区画識別タグ５の読取りを行い（ステップＳ７２）、棚データベースから当該区画４に関する情報を取得する（ステップＳ７３）。そして、当該区画４の状況区分を確認し（ステップＳ７４）、「使用中」である場合には、混載である旨を報知するメッセージを表示する。そして、管理用コンピュータ１０を介して作物データベース、実績データベース及び棚データベースを更新すると（ステップＳ７５）、容器移動処理が終了する。
【００３６】
また、本実施例の作物生育管理システムでは、管理用コンピュータ１０で、環境データベースを更新する環境登録処理が定期的に実行される。具体的には、環境登録処理では、図１８に示すように、管理用コンピュータ１０は、栽培室１の内部の生育環境の測定結果（温度と湿度）を環境データベースに登録し（ステップＳ８１）、続いて、栽培棚２ごとの生育環境の測定結果（温度、湿度、ＣＯ２濃度、水温、水質）を環境データベースに登録する（ステップＳ８２）。
【００３７】
このように、本実施例では、各作業工程において、携帯端末１２を用いてデータベースの更新を行うため、栽培作業の進捗状況や作物の設置場所を効率よく管理できる。特に、本実施例では、作物を植えた栽培容器３ａ〜３ｃと、該栽培容器３ａ〜３ｃを設置する栽培棚２の各区画４とに識別タグ５，６を設け、各作業工程において、それらの識別タグ５，６を携帯端末１２に読み取らせることによって、作業対象の作物や区画４を識別しているため、作物や区画４の取り違えが起き難いという利点がある。
【００３８】
例えば、本実施例では、栽培容器３ａ〜３ｃを栽培棚２に設置したり、栽培容器３ａ〜３ｃの設置場所を変更したりする際に、区画識別タグ５と作物識別タグ６から、作物と区画４の固有情報を携帯端末１２で読み取って、当該固有情報に基いて作物データベースを更新するようにしているため、作物データベースにおいて、作物を植えた栽培容器３ａ〜３ｃの設置される区画４を正確に管理できるという利点がある。
【００３９】
また、本実施例では、栽培容器３ａ〜３ｃの作物の情報（数量、進捗、状態など）を作物識別タグ６にも記憶させ、各作業工程において、作物識別タグ６の記憶するデータを携帯端末１２で更新しているため、携帯端末１２と管理用コンピュータ１０との通信に不具合が生じた場合でも、作物識別タグ６を読み取ることによって、各作物についての各種情報を携帯端末１２で確認できるという利点がある。
【００４０】
また、本実施例では、作物に対して作業を行う度に実績データベースを更新し、実績データベースに各作物の栽培作業の進捗履歴を蓄積記憶するとともに、定期的に環境データベースを更新し、作物の生育環境の測定履歴を蓄積記憶している。そして、本実施例にあっては、実績データベースと環境データベースを比較することによって、作物の成長率（終了）と生育環境の相関を把握することができ、かかる相関関係に基いて収穫可能日や予想収穫量を正確に推測したり、より好ましい生育環境を推測できるという利点がある。
【００４１】
なお、本発明は、上記実施例の形態に限らず本発明の要旨を逸脱しない範囲内において種々変更を加えることができる。
【００４２】
例えば、上記実施例では、区画識別タグ５がシート状をなし、作物識別タグ６が棒状をなしているが、各識別タグの形状はこれに限定されず、種々変更可能である。具体的には、作物識別タグをシート状にして、栽培容器の表面に貼付するようにしてもよい。また、園芸用のネームプレートのように、作物識別タグを栽培容器の内部の培地（土やスポンジ）に突き刺して取り付ける形状にしてもよい。また、上記実施例では、区画識別タグ５及び作物識別タグ６がＲＦＩＤタグによって構成されていたが、本発明に係る区画識別タグ及び作物識別タグは、バーコードやＱＲコード（登録商標）などの光学読取式タグで構成することもできる。
【００４３】
また、上記実施例の作物生育管理システムでは、管理用コンピュータ１０と携帯端末１２とを、ＬＡＮ１３，１４を介して通信させていたが、本発明に係る管理装置と携帯端末は、公衆通信回線を介して通信させることもできる。
【００４４】
また、上記実施例では、本発明に係る管理装置を一台の管理用コンピュータ１０と外部記憶装置１１とで実現しているが、本発明に係る管理装置は、クライアントＰＣとサーバとからなる複数台のコンピュータで構成することも可能である。
【００４５】
また、上記実施例では、本発明を植物工場に適用した例を説明したが、本発明は、閉鎖環境で作物を栽培する農園に限らず、作物を露地栽培する農園にも適用可能である。露地栽培の農園に本発明を適用する場合は、本発明に係る環境データベースに、日照時間や気温、降水量などの測定履歴を記憶させることが提案される。また、上記実施例では、栽培棚２の各区画４が、本発明に係る栽培区画に相当しているが、本発明に係る栽培区画は、棚で仕切られた区画に限らず、耕地を平面的に仕切った区画であってもよい。
【符号の説明】
【００４６】
１  栽培室
２  栽培棚
３ａ〜３ｃ  栽培容器
４  区画
５  区画識別タグ
６  作物識別タグ
１０  管理用コンピュータ
１１  外部記憶装置
１２  携帯端末
１３  有線ＬＡＮ
１４  無線ＬＡＮアクセスポイント
１５  プリンタ
【図１】
2014018189.tif 000003
【図２】
2014018189.tif 000004
【図３】
2014018189.tif 000005
【図４】
2014018189.tif 000006
【図６】
2014018189.tif 000007
【図７】
2014018189.tif 000008
【図８】
2014018189.tif 000009
【図９】
2014018189.tif 000010
【図１０】
2014018189.tif 000011
【図１１】
2014018189.tif 000012
【図１２】
2014018189.tif 000013
【図１３】
2014018189.tif 000014
【図１４】
2014018189.tif 000015
【図１５】
2014018189.tif 000016
【図１６】
2014018189.tif 000017
【図１７】
2014018189.tif 000018
【図１８】
2014018189.tif 000019
【図５】
2014018189.tif 000020